(57)【要約】【課題】  自動車用のカットオフを有する前照灯モジュールを提供する。【解決手段】  第１リフレクタ（１）及び光源、カバーピース（３）、任意選択であるがデフレクタ（２）、及び収束レンズ（４）と組み合わされた楕円タイプのリフレクタ（１）、又は光源（Ｓ）と組み合わされた複雑な表面を有するリフレクタのいずれか一方を備え、かつ  光軸を通る水平面より下方に位置する第２リフレクタ（５）であって、  楕円弧（７）、及び  楕円弧の端部の前方に位置する曲線部であって、この曲線部の前端部が、上記楕円弧（７）の第２焦点（Ｃ２）と一致するか、又は上記焦点の近くに位置する、曲線部からなるメリジアン曲線（６）を画定する第２リフレクタ（５）を、  収束レンズ（４）の下側部分の少なくとも１つの区域を包囲するか、又は収束レンズ（４）がない場合、レンズの平面上の、光線が通過する区域を包囲するレンズ（１０）とともに有する。【選択図】      図１
2007207761.tif 000002
【特許請求の範囲】
【請求項１】
光軸を定めているカットオフを有するすれ違いビームを発生するための自動車用前照灯の光学モジュールであって、
−第１リフレクタ（１）及び光源（Ｓ）とカバーピース（３）、任意選択的であるが、デフレクタ（２）及び収束レンズ（４）と組み合わせた楕円タイプのリフレクタ（１）、又は
−光源（Ｓ）と組み合わされた複雑な表面を有するリフレクタ
のいずれかを備える光学モジュールにおいて、
前記光軸を通る水平面より下方に位置する第２リフレクタ（５）を備え、この第２リフレクタ（５）は、
−楕円弧（７）、及び
−前記楕円弧の端部の前方に位置する曲線部であって、この曲線部の前端部が、前記楕円弧（７）の第２焦点（Ｃ２）と一致するか、又は前記焦点の近くに位置する曲線部
とからなるメリジアン曲線（６）を画定する第２リフレクタ（５）を、
前記収束レンズ（４）の下側部分の少なくとも１つの区域を包囲する、又は前記収束レンズ（４）がない場合、レンズの平面上の、光線が通過する区域を包囲するレンズ（１０）とともに有し、かつ
前記レンズの、前記光軸を通る平面に沿う断面（１１）は、それぞれ、前記レンズの入力面及び出力面と対応する２つの曲線部を有し、この曲線部自体は、収束レンズの、その光軸を通る平面に沿う断面に対応していることを特徴とする、自動車用前照灯の光学モジュール。
【請求項２】
第２リフレクタ（５）は、前記光軸（Ｘ−Ｘ）を中心とする回転体であることを特徴とする、請求項１に記載の光学モジュール。
【請求項３】
前記楕円弧（７）の端部の前方に位置する曲線部は、光軸と平行であって、前記楕円弧の端部の前方に位置する直線部分（９）と置き換えられ、前記直線部分の前端部は、前記楕円弧の第２焦点（Ｃ２）と一致するか、又は前記焦点の近くに位置していることを特徴とする、請求項１又は２に記載の光学モジュール。
【請求項４】
レンズ（１０）は、環状であり、光軸（Ｘ−Ｘ）を中心とする回転扇形の形を有することを特徴とする、請求項１〜３のいずれかに記載のモジュール。
【請求項５】
−光軸（Ｘ−Ｘ）を通る水平面より上方に位置し、かつ前記光軸上で前記前照灯の基部の近くに位置する第１焦点（Ａ１）、及び前記光軸のさらに前方に位置する第２焦点（Ａ２）を有する、楕円タイプのリフレクタ（１）と、
−前縁部が、前記リフレクタの前記第２焦点（Ａ２）又はその近くを通るデフレクタ（２）と、
−前記リフレクタの第１焦点（Ａ１）上に、又はこの焦点の近くに位置して、上向き及び下向きの両方の光を発する光源（Ｓ）と、
−前記デフレクタの前方に位置し、かつ前記リフレクタの第２焦点（Ａ２）と一致するか、又は第２焦点の近くに位置する焦点を有する収束レンズ（４）
とを備えることを特徴とする、請求項１〜４のいずれかに記載の光学モジュール。
【請求項６】
光源（Ｓ）は、キセノンランプであることを特徴とする、請求項１〜５のいずれかに記載の光学モジュール。
【請求項７】
光源（Ｓ）は、モジュールの光軸（Ｘ−Ｘ）と一致する軸を有することを特徴とする、請求項１〜６のいずれかに記載の前照灯モジュール。
【請求項８】
レンズは環状レンズ（１０）であって、外側に面する平坦面と、リフレクタに面する凸面とを有することを特徴とする、請求項１〜７のいずれかに記載の前照灯モジュール。
【請求項９】
環状レンズ（１０）である前記レンズの外面は、光ビームを広げるための垂直又は斜めのリブ（１２）を有することを特徴とする、請求項１〜８のいずれかに記載の前照灯モジュール。
【請求項１０】
環状レンズ（１０）である前記レンズは、プラスチック材料で形成されていることを特徴とする、請求項１〜９のいずれかに記載の前照灯モジュール。
【請求項１１】
主レンズ（４）は、ガラスで形成され、環状レンズ（１０）は、前記主レンズ上に成形して形成され、それにより、前記主レンズ及び環状レンズからなるアセンブリは、単一部品を構成していることを特徴とする、請求項１〜１０のいずれかに記載の前照灯モジュール。
【請求項１２】
環状レンズ（１０）である前記レンズは、ポリスルホン（ＰＰＳ）又はポリカーボネートで形成されていることを特徴とする、請求項１０又は１１に記載の前照灯モジュール。
【請求項１３】
前記第１リフレクタ（１）及び第２リフレクタ（５）からなるアセンブリは、射出鋳造金属で形成されていることを特徴とする、請求項１〜１２のいずれかに記載の前照灯モジュール。
【発明の詳細な説明】
【技術分野】
【０００１】
本発明は、光軸を定めている、カットオフを有するビーム、特にすれ違い、又は追い越しビームを発生するための、自動車用前照灯の光学モジュールであって、前照灯は、少なくとも１つのリフレクタ及び光源を有する種類のものであり、
−光軸を通る水平面より上方に位置し、かつ光軸上で前照灯の底部の近くに位置する第１焦点、及び光軸上でさらに前方に位置する第２焦点を有する、楕円タイプのリフレクタと、
−デフレクタであって、その前端部が、リフレクタの第２焦点を通るか、又はその近くに位置するデフレクタと、
−リフレクタの第１焦点に、又はその焦点の近傍に位置して、上向き及び下向きの両方の光を発する光源と、
−デフレクタの前方に位置し、かつリフレクタの第２焦点と一致するか、又は上記第２焦点の近くに位置する焦点を画定する収束レンズ、
とを有する種類の自動車用前照灯の光学モジュールに関する。
【０００２】
より具体的には、本発明は、限定的ではないが、光源が、キセノンランプと呼ばれる放電ランプからなる、自動車用前照灯の光学モジュールに関する。
【背景技術】
【０００３】
下向きに放出される光は、対向して走行して来る運転者の眩惑の原因である上向きの出現光線を発生させる可能性があるので、現在のモジュールでは、一般に使用されていない。
【０００４】
そのため、上向き及び下向きの両方に向けて発する光源による可能性は、十分には生かされていない。したがって、上向き及び下向きの両方に発する光源を有し、かつデフレクタ及びカバーを利用する現在の構造を有し、カットオフビームを発生する前照灯モジュールは、最適の性能を発揮しない。
【発明の開示】
【発明が解決しようとする課題】
【０００５】
本発明の主たる目的は、上に定義した種類の前照灯モジュールであって、ハロゲン又は同様のランプを用いる現在の構造によって得られるよりも大きい光束を得るという点で、効率が改善された前照灯モジュールを提供することである。
【課題を解決するための手段】
【０００６】
本発明は、光軸を定めている、カットオフビーム、特にすれ違いビームを発生するための、自動車用前照灯の光学モジュールにおいて、少なくとも、
−第１リフレクタ及び光源、カバーピース、任意選択的であるがデフレクタ、及び収束レンズと組み合わされた楕円タイプのリフレクタ、又は
−光源と組み合わされた複雑な表面を有するリフレクタのいずれかを備える光学モジュールであって、
光軸を通る水平面より下方に位置する第２リフレクタを有し、
−楕円弧、及び
−楕円弧の端部の前方に位置する曲線部であって、この曲線部の前端部が、上記楕円弧の第２焦点と一致するか、又は上記焦点の近くに位置する、曲線部
を有するメリジアン曲線を画定する第２リフレクタを、
−収束レンズの下側部分の少なくとも１つの区域を包囲するか、又は収束レンズが全くない場合、上記レンズの平面上の、光線が通過する区域を包囲するレンズとともに有し、
上記レンズの、光軸を通る平面における断面は、それぞれ、レンズの入力面及び出力面に対応する２つの曲線部を有し、かつ上記曲線部自体は、収束レンズの、その光軸を通る平面に沿った断面と対応している、自動車用前照灯の光学モジュールを提供するものである。
【０００７】
好ましくは、第２リフレクタは、光軸を中心とする回転体である。
【０００８】
楕円弧の端部の前方に位置する曲線部は、光軸と平行であって、楕円弧の端部の前方に位置する直線部分と置き換えられ、上記直線部分の前端部は、上記楕円弧の第２焦点と一致するか、又は上記焦点の近くに位置している。
【０００９】
本発明によるレンズは、環状であって、光軸を中心にした回転扇形の形を有するのが好ましい。
【００１０】
光軸を画定しているカットオフビーム、特にすれ違いビームを発生するための、本発明による自動車用の光学前照灯モジュールは、少なくとも１つのリフレクタ及び光源、カバーピース、任意選択的であるが、デフレクタ、及びレンズと組み合わされた楕円タイプのリフレクタ、又は光源と組み合わされた複雑な表面を有するリフレクタのいずれか一方を備えている。
【００１１】
モジュールは、
−光軸を通る水平面より下方に位置する第２リフレクタであって、この第２リフレクタは、光軸を中心にした回転体であり、
−楕円弧であって、その第１焦点は、楕円リフレクタの第１焦点と一致し、上記楕円弧の幾何学的軸は光軸に対して、それから前方向に発散するように傾斜しており、楕円弧の第２焦点は、上記弧の第１焦点の前方であるが、収束レンズの後方に位置している、楕円弧と、
光軸とほぼ平行な直線部分であって、楕円弧の端部の前方に位置し、この直線部分の前端部は、上記楕円弧の第２焦点と一致するか、又はその焦点の近くに位置する、直線部分からなるメリジアン曲線を画定する第２リフレクタと、
−光軸を中心とする回転扇形の形であって、収束レンズの下側部分の少なくとも１つの区域を包囲する環状レンズ
とをさらに備えている。
【００１２】
この環状レンズの、好ましくは光軸を通る平面に沿った断面は、それぞれ、レンズの入力面及び出力面に対応する２つの曲線部を有し、これらの曲線部自体は、収束レンズの光軸を通る収束レンズの平面に沿う断面に対応している。
【００１３】
本発明によるモジュールは、光源が下向きに発した光の一部を回復することができ、それにより、眩惑の危険を回避し、かつカットオフビームの形成に寄与することができる。
【００１４】
好ましくは、光源は、放電ランプ又はキセノンランプである。約３０００ルーメンの光束を与える放電ランプでは、本発明による前照灯モジュールは、約１５００ルーメンのカットオフ光ビームを発生することができる。
【００１５】
一般に光源は、モジュールの光軸と一致する軸を有する。
【００１６】
環状レンズは、外側に面する平坦面と、リフレクタの方に面する凸面とを有する。環状レンズの外面は、光ビームを広げるための垂直リブを有することもある。
【００１７】
環状レンズは、プラスチックで形成するのが好ましい。それは、主レンズ上に成形することによって形成され、主レンズは、一般にガラス製である。その場合、主レンズ及び環状レンズからなるアセンブリは、単一部品を構成する。
【００１８】
以上に述べた構造とは別に、本発明は、特定の構造を有し、それらについては、添付の図面を参照しながら説明する。以下、決して制限的ではない実施形態の例を参照しながら、明確に説明する。
【発明を実施するための最良の形態】
【００１９】
図１及び図２には、自動車用の前照灯モジュールＭを見ることができる。このモジュールは、すれ違いビーム、又は追い越しビームタイプのカットオフビームを生じるように構成され、このモジュールは、光軸Ｘ−Ｘを有する。
【００２０】
明細書の本文、及び特許請求の範囲のすべてにおいて、前及び後の表現は、前照灯が発する光の伝播方向に関するものであることを理解されたい。
【００２１】
モジュールＭは、楕円タイプのリフレクタ１を備え、リフレクタ１は、光軸Ｘ−Ｘを通る水平面より上方に位置している。
【００２２】
なお、この明細書全体における「楕円タイプ」という語は、自動車の前照灯の分野で十分に理解されている意味の楕円タイプのリフレクタを表すものである。上記リフレクタ１は、光軸上において前照灯の底部の近くに位置する第１焦点Ａ１と、光軸上においてさらに前方に位置する第２焦点Ａ２とを有する。
【００２３】
リフレクタは、光デフレクタ２、すなわち、小さい板又はストリップを有し、その上面が、反射するようになっている。図２でわかるように、デフレクタにおける、光軸と一直線に並んだ位置にある部分２ａは、光軸を通る水平面上に位置しており、光軸の左側に位置する部分２ｂは、下方に１５°の角度で傾斜している。この部分２ｂは、すれ違いビームのカットオフの上昇部分に対応している。
【００２４】
デフレクタ２の前縁部は、光軸Ｘ−Ｘと直交する平面であって、リフレクタの第２焦点Ａ２を通るか、又はその近くを通る平面上に位置している。デフレクタ２は、後方へリフレクタ１に向かって短い距離だけ延びており、その距離は、１０ｍｍ未満、特に約７ｍｍである。
【００２５】
上向き及び下向きの両方に光を発する光源Ｓが、リフレクタ１の第１焦点Ａ１に位置している。光源Ｓの最大発光点が、焦点Ａ１に位置しているのが好ましい。光源Ｓは、好ましくは、光軸Ｘ−Ｘと一致する軸を有する放電ランプである。必要に応じ、光源Ｓの軸を、光軸Ｘ−Ｘと直角にすることもある。
【００２６】
キセノンランプは、その光の約３分の２を上向きに、３分の１を下向きに発する。変更形として、光源Ｓを、ハロゲンランプとしてもよく、これも、上向き及び下向きの両方に光を発する。
【００２７】
カバーピース３が、デフレクタの前縁部から下方へ、光軸Ｘ−Ｘと直角をなす垂直面上を、光源Ｓからの光が、デフレクタの前方に配置された収束レンズ４に直接的に当たることを防止するのに十分な距離にわたって延出している。
【００２８】
収束レンズ４は、リフレクタ１の第２焦点Ａ２と一致する焦点Ｂを有する。焦点Ｂは、デフレクタ２の前縁部上に位置している。レンズ４は、光軸Ｘ−Ｘ上に中心が位置するほぼ円形の輪郭を有し、このレンズの平均平面は、上記軸と直角をなしている。
【００２９】
モジュールＭは、光軸Ｘ−Ｘを通る水平面より下方に位置する第２リフレクタ５を備えている。この第２リフレクタ５は、光軸Ｘ−Ｘを中心とする回転体である。
【００３０】
第２リフレクタ５のメリジアン曲線６は、楕円弧７を有し、その第１焦点は、楕円タイプのリフレクタ１の第１焦点Ａ１と一致し、楕円弧７の幾何学的軸８は、光軸Ｘ−Ｘに対して、後から前に向かう方向に光軸から発散するように傾斜している。
【００３１】
楕円弧７の第２焦点Ｃ２は、第１焦点Ｃ１の前方であるが、収束レンズ４の後方に位置している。この第２焦点Ｃ２は、光軸Ｘ−Ｘから半径方向に、レンズ４の円形輪郭の半径より大きい距離だけ離れている。
【００３２】
さらにメリジアン６は、光軸Ｘ−Ｘと平行な直線部分９であって、楕円弧７の端部から前方に延出する直線部分９を有している。直線部分９の前端部は、楕円弧７の第２焦点Ｃ２と一致している。
【００３３】
図２からわかるように、光軸Ｘ−Ｘを中心とする回転扇形の形の環状レンズ１０が、収束レンズ４の下側部分の区域を包囲している。環状レンズ１０の、光軸を通る平面における断面１１は、略して「メニスカス」と呼ぶことがある２つの基本曲線に対応し、その焦点は、直線部分９の前端部に位置し、かつ楕円弧７の第２焦点Ｃ２と一致している。
【００３４】
レンズ１０は、前方に面するソリッド面と、後方に面する凸面とを有する。
【００３５】
直線部分９は、光軸Ｘ−Ｘを中心とする回転中に、円筒面の一部分を生成し、光軸の方に面するそれの凹部分が、楕円弧７の凹部分のように反射する。
【００３６】
環状レンズ１０は、光軸を通る水平面から延びたレンズ４の下側部分を包囲するクラウンの扇形を構成し、これは、図２において、レンズ４の左側にあり、また、この扇形は、光軸を通るとともに、水平面から下方に１５°で傾斜する平面１１まで延びている。
【００３７】
主レンズ４は、一般にガラスで作製される。環状レンズ１０は、プラスチック材料で形成しても、またガラス上にそれを成形することによって形成してもよい。レンズ４及び環状レンズ１０からなるアセンブリは、単一部品とすることができる。
【００３８】
変形例では、環状レンズを熱可塑性材料で形成し、主レンズ４の縁部上に、現場で成形することによって、締め付けラグを形成してもよい。環状レンズ１０用の可能なプラスチック材料としては、ポリスルホン（ＰＰＳ）又はポリカーボネートを挙げることができる。
【００３９】
楕円形の上側レンズ１及びデフレクタ２は、高温に耐えるように、金属で形成することが好ましい。下側リフレクタ５は、金属又はプラスチック材料で形成することができる。
【００４０】
金属部品は、屈曲又は湾曲させたプレス加工鋼で作製するのがよく、あるいは射出鋳造アルミニウムでもよい。楕円タイプのリフレクタ１及び下側リフレクタ５からなるリフレクタアセンブリを、金属の射出によって形成してもよい。
【００４１】
垂直母線を有する円筒面１３を分割する外向き凸状垂直リブ１２が設けられている。垂直リブ１２及び円筒面１３は、環状部分１０によって発生したビームの広がりに寄与する。リブ１２のピッチは、１０ｍｍ程度でよい。
【００４２】
円筒面１３を、環状レンズ１０の平坦な出力面上に配置してもよい。「配置」という表現は、幾何学的突出の結果であるとして理解されるべきである。結果的に生じる形は、実際には、外面を単一部材片の形に成形することによって得られる。
【００４３】
楕円弧７の内側端部７ａは、内側リフレクタ５を、その型から離す際に問題を生じやすい。しかし、光源Ｓの支持体の取り付けに必要な孔１４が存在するため、この問題は解消される。
【００４４】
図２の前方から見ると、下側リフレクタ５は、レンズ４より幅広である。クラウン１０の高さＨは、所望により、追加の機能、たとえばパイロットランプの機能を生むように定めることができる。
【００４５】
楕円リフレクタ１及び下側リフレクタ５が、２つの個別部品として形成される場合、ランプＬ及びデフレクタ２を、これらの２つの部品の縁部に沿った継ぎ合わせによって、機械的に組み合わせることができる。
【００４６】
この前照灯モジュールは、次のように作用する。
【００４７】
光源Ｓの、焦点Ａ１と一致した点から発して上向きに進む光線ｉ１は、リフレクタ表面１上の点１５に当たり、反射して光線ｊ１になる。これは、リフレクタ１の、デフレクタ２の縁部上の第２焦点Ａ２を通過する。光線ｊ１は、レンズ４で屈折し、光軸Ｘ−Ｘと平行に出て、光線ｒ１になる。
【００４８】
光源の、焦点Ａ１の前方に位置する点から生じ、上向きに進んで点１５に当たる光線ｉ２は、反射して光線ｊ２となり、デフレクタ２の前縁部の後方、かつ焦点Ａ２の後方に当たる。この光線ｊ２は、デフレクタで反射して光線ｋ２となり、これは上向きに進み、かつレンズ４の出力部で、下向きの光線ｒ２となる。
【００４９】
光源Ｓの、焦点Ａ１の後方に位置する点から発し、上向きに進んで点１５に当たる光線ｉ３は、反射して下向きに進む光線ｊ３となり、デフレクタ２の前方を通って、レンズ４から、下向きに進む光線ｒ３になって出る。
【００５０】
したがって、光源Ｓが上向きに発した光は、レンズ４によって生じる、デフレクタ２の縁部の像によって形成されたカットオフ線より下方に、光線が位置するビームを発生することとなる。
【００５１】
次に、光源Ｓが発する下向きの光について述べる。
【００５２】
焦点Ａ１から発して下向きに進む光線ｉ４は、第２リフレクタ５上の点１６に当たり、反射して光線ｊ４となり、楕円弧７の第２焦点Ｃ２を通過する。点Ｃ２は、レンズ１０の断面の焦点でもあるので、光線ｊ４は、レンズ１０の出力部で光軸Ｘ−Ｘに平行な光線ｒ４となる。
【００５３】
光源の、焦点Ａ１の前方に位置する点から生じる光線ｉ５は、点１６に当たって反射し、下向きの光線ｊ５になる。これは、直線部分９の前方を通り、レンズ１０から光線ｒ５になって出るが、これも下向きである。
【００５４】
光源の、焦点Ａ１の後方に位置する点から出て、下向きに進んで点１６に当たる光線ｉ６は、反射して光線ｊ６になる。これは、焦点Ｃ２の後方で、直線部分９によって生成された反射性円筒面に当たる。この光線ｊ６は、反射して上向きに進む光線ｋ６となる。光線ｋ６は、レンズ１０の出力部で、下向きに進む光線ｒ６となる。
【００５５】
モジュールＭによって発生した光ビーム全体は、光源Ｓから下向きに進む補助光によって強化される。
【００５６】
そのため、放電ランプ及びカットオフを備える前照灯モジュールが得られ、これは非常に有効である。
【００５７】
カットオフは、デフレクタの縁部からなる材料物体の像を形成することによって生じ、これは、複雑な形や弧の拡散外観の影響を受けない。
【００５８】
Ｄ２Ｓランプを利用することが可能である。３０００ルーメンのランプＳでは、ビーム内の光束が１５００ルーメンに達することができる。
【００５９】
楕円リフレクタ１が、光軸Ｘ−Ｘを通る水平面に関して上側部分と対称的な下側部分を有する場合、下向きに進む光は、レンズ４の出力部で上昇光線の光源になって眩惑を引き起こすおそれがあるから、それを、適切に利用することはできないことに留意するべきである。
【００６０】
下側リフレクタも、やはり焦点Ｃ１及びＣ２を有するが、光軸Ｘ−Ｘを中心とする回転体ではなく、直線８を中心とする回転体である楕円リフレクタと考えることが可能である。これにより、解決策では、モジュールの下側部分については、実際に道路に向けられる光はほとんどなく、また、モジュールを好ましいスタイルとすることが困難であるという問題がある。
【００６１】
本発明によって提供される構造によると、より開いた下側リフレクタを設けることができ、それにより、下側部分の光を、よりうまく回復することができるようになる。
【００６２】
図４は、下側部分のビームの等照度曲線のパターンを示している。ビームは、水平、又はリブに対して、１５度に広がるようになっている。
【００６３】
図５は、リフレクタの上側部分によって生じるビームの等照度曲線のパターンを示している。使用リフレクタは、デフレクタに合わせて調整されていない従来構造と対応している。
【００６４】
図６は、ビームを広げるように、環状レンズの出力面を変更した、本発明によるリフレクタの下側部分で得られる等照度パターンを示す。
【００６５】
図７は、図２の変形である。図２では、リブがすべて垂直向きであったが、図７の変更形では、水平縁部と同一側の垂直リブが、斜め縁部と同じ側の斜めリブと組み合わされている。これらの斜めリブは、１５°カットオフを生じる斜め縁部とほぼ直角をなしている。
【００６６】
図示しないさらなる変更形においては、斜めリブだけを使用することがある。
【図面の簡単な説明】
【００６７】
【図１】本発明による前照灯モジュールを示す、光軸を通る垂直面に沿う概略的な断面図である。
【図２】図１の前照灯モジュールを、一部破断して示す正面図である。
【図３】図２のＩＩＩ−ＩＩＩ線に沿う断面で、環状レンズを示す図である。
【図４】リブがない場合の、モジュールの下側部分だけで得られる等照度曲線のパターンを示す図である。
【図５】モジュールの上側部分だけで得られる等照度曲線のパターンを示す図である。
【図６】リブを有するモジュールの下側部分だけで得られる等照度曲線のパターンを示す図である。
【図７】図２の変更形を示す図である。
【符号の説明】
【００６８】
１  リフレクタ
２  デフレクタ
２ａ  デフレクタの一部分
２ｂ  デフレクタの一部分
３  カバーピース
４  収束レンズ
５  第２リフレクタ
６  メリジアン曲線
７  楕円弧
７ａ  楕円弧の内側端部
８  幾何学的軸
９  直線部分
１０  環状レンズ
１１  平面
１２  垂直リブ
１２ａ  斜めリブ
１３  円筒面
１４  孔
１５  リフレクタ面上の点
１６  第２リフレクタ上の点
Ａ１  第１焦点
Ａ２  第２焦点
Ｂ  収束レンズの焦点
Ｃ１  楕円弧の第１焦点
Ｃ２  楕円弧の第２焦点
Ｈ  クラウンの高さ
Ｌ  ランプ
Ｍ  モジュール
Ｓ  光源
Ｘ−Ｘ  光軸
ｉ１、ｉ２、ｉ３、ｉ４、ｉ５、ｉ６、
ｊ１、ｊ２、ｊ３、ｊ４、ｊ５、ｊ６、ｋ２、ｋ６、
ｒ１、ｒ１、ｒ３、ｒ４、ｒ５、ｒ６  光線
【図１】
2007207761.tif 000003
【図２】
2007207761.tif 000004
【図３】
2007207761.tif 000005
【図４】
2007207761.tif 000006
【図５】
2007207761.tif 000007
【図６】
2007207761.tif 000008
【図７】
2007207761.tif 000009
【外国語明細書】
2007207761000001.pdf